(57)【要約】      （修正有）【課題】複数の異なる大きさの商品を無駄なく吊り下げて陳列でき、効率的に陳列作業ができる商品陳列用ハンガーボードを提供する。【解決手段】商品を吊るすためのフック部材６を背板状の本体１から複数個突設する。フック部材６を取り付けるためのフック部材取り付け部３を本体１の上下に複数段配するとともに、上記フック部材取り付け部３を横方向に長く延びる形状に構成することにより、そこに取り付けられるフック部材６を横方向の任意位置に移動可能とする。【選択図】図１
0003157823.tif 000002
【実用新案登録請求の範囲】
【請求項１】
商品を吊るすためのフック部材を背板状の本体から複数個突設したハンガーボードにおいて、フック部材を取り付けるためのフック部材取り付け部を本体の上下に複数段配するとともに、上記フック部材取り付け部を横方向に長く延びる形状に構成することにより、そこに取り付けられるフック部材を横方向の任意位置に移動可能としたことを特徴とする商品陳列用ハンガーボード。
【請求項２】
フック部材取り付け部同士の間隔を、吊るされる商品の高さより狭く設定した請求項１記載の商品陳列用ハンガーボード。
【請求項３】
本体に穿設される横長の切り抜き穴をもってフック部材取り付け部とするとともに、上記切り抜き穴に横方向に摺動自在に係止される係止座にフック本体を突設することによりフック部材とした請求項１または２記載の商品陳列用ハンガーボード。    
【請求項４】
本体に取り付けられる断面Ｌ字状のレールをもってフック部材取り付け部とするとともに、上記レールに横方向に摺動自在に係止される係止座にフック本体を突設することによりフック部材とした請求項１または２記載の商品陳列用ハンガーボード。    
【考案の詳細な説明】
【技術分野】
【０００１】
この考案は、店頭において複数の商品を吊り下げて陳列するためのハンガーボードに関する。
【背景技術】
【０００２】
背板状の本体から商品を吊るすためのフック部材を複数個突設したハンガーボードを用いて、店頭において商品を陳列することが広く行われている。
【０００３】
図５〜図７はこの種のハンガーボードを示す図である。このハンガーボードは背板状の本体３０に複数個の係止穴３１を上下、左右に穿設し、係止座３２にフック本体３３を突設した複数個のフック部材３４をここに係止することにより構成される。
【０００４】
前記のハンガーボードには包装箱に収容された商品、ブリスターパック包装された商品、吊り下げ用のヘッダー部を有する包装袋に収容された商品などのパッケージ入りの商品３５が吊り下げられる。
【特許文献１】特開平９−９４１４２号公報
【特許文献２】実開平７−２８４８６号公報
【考案の開示】
【考案が解決しようとする課題】
【０００５】
ところで、現実の商品には様々な大きさがあり、同一の商品シリーズ間でもサイズの大小によりパッケージの大きさが異なることがある。この場合、前記の従来技術のハンガーボードにおいてはフック部材３４は予め固定された位置に存する本体３０の係止穴３１に係止されるので、このハンガーボードを用いて吊り下げることが可能な商品のパッケージの大きさはフック部材同士の上下左右の間隔により規制されることになる（図６参照）。
【０００６】
例えば、図７において吊り下げ可能な商品はフック部材３４同士の間隔内に収まる大きさの商品３５に限られ、これより大きな商品３６は吊り下げられないことになる。一方、前記の商品３５より小さい商品は吊り下げ可能であるが、今度はハンガーボードに無駄な余白が生じてスペース効率上好ましくなかった。
【０００７】
前記の場合、フック部材３４同士の間隔を越える商品に関しては、一部のフック部材３４を係止穴から取り外せば対応することができる。しかしながら、当該商品が販売されてハンガーボードから取り去られた場合はその部分に穴が生じることになり、再度フック部材を係止しなければならない煩わしさがある。また、この場合でも前記の小さな商品３５に関する問題は解消されない。さらに、一つのハンガボードに異なる大きさの商品を混在して吊り下げる場合は、それに対応したフック部材３４の複雑な取り外し作業を店頭関係者に強いることになり、販売効率上好ましくなかった。
【課題を解決するための手段】
【０００８】
この考案は以上の従来技術の問題点を解消した商品陳列用ハンガーボードを提供することを目的としたものであり、商品を吊るすためのフック部材を背板状の本体から複数個突設したハンガーボードにおいて、フック部材を取り付けるためのフック部材取り付け部を本体の上下に複数段配するとともに、上記フック部材取り付け部を横方向に長く延びる形状に構成することにより、そこに取り付けられるフック部材を横方向の任意位置に移動可能としたことを特徴とする。
【０００９】
また、ここでは実施例として前記の商品陳列用ハンガーボードにおいて、本体に穿設される横長の切り抜き穴をもってフック部材取り付け部とするとともに、上記切り抜き穴に横方向に摺動自在に係止される係止座にフック本体を突設することによりフック部材とした商品陳列用ハンガーボードも開示する。
【００１０】
また、ここでは実施例として前記の商品陳列用ハンガーボードにおいて、本体に取り付けられる断面Ｌ字状のレールをもってフック部材取り付け部とするとともに、上記レールに横方向に摺動自在に係止される係止座にフック本体を突設することによりフック部材とした商品陳列用ハンガーボードも開示する。
【考案の効果】
【００１１】
この考案の商品陳列用ハンガーボードによれば、本体の上下に複数段配されるフック部材取り付け部を横方向に長く延びる形状に構成して、そこに取り付けられるフック部材を横方向の任意位置に移動可能としたので、吊り下げる商品の大きさに対応してフック部材を左右に移動することにより様々な大きさの商品を一つのハンガーボードに混在して吊り下げることが可能な効果を奏する。
【００１２】
この場合、例えば大きな商品を吊り下げるに際して、その下の段のフック部材が邪魔になるような場合でも、従来技術のようにフック部材を取り外さなくても単に左右に退避させるだけで済むので、商品を取り去った後に再度フックを係止させることを要せず陳列作業が楽になる効果を奏する。
【００１３】
また、一つのハンガボードに異なる大きさの商品を混在して吊り下げる場合でも、実際の商品を本体に重ね、それに応じて各フック部材を左右に移動させれば済むので、従来技術のような複雑な取り外し作業を店頭関係者に強いることがなく、極めて効率的に陳列作業を進めることができる。
【００１４】
また、フック部材取り付け部同士の間隔を、吊るされる商品の高さより狭く設定すれば、小さな商品でもハンガーボードに余白が生じることなく無駄なく吊り下げることができるので陳列にあたってのスペース効率が向上することとなる。
【００１５】
次に請求項３記載の考案においては、本体に穿設される横長の切り抜き穴をもってフック部材取り付け部とするとともに、上記切り抜き穴に横方向に摺動自在に係止される係止座にフック本体を突設することによりフック部材としているので、本体の加工は切り抜き穴を穿設するだけで済み、極めて簡単な構造でハンガーボードを製作することができる。
【図面の簡単な説明】
【００１６】
【図１】この考案の商品陳列用ハンガーボードの斜視図。
【図２】同上、フック部材の斜視図。
【図３】この考案の商品陳列用ハンガーボードの使用状態を示す正面図。
【図４】この考案の商品陳列用ハンガーボードの異なる実施例の要部の斜視図。
【図５】従来技術の商品陳列用ハンガーボードの正面図。
【図６】同上、使用状態を示す正面図。
【図７】同上、使用状態を示す正面図。
【考案を実施するための形態】
【００１７】
以下、この考案の具体的実施例を添付図面に基づいて説明する。図１はこの考案の商品陳列用ハンガーボードの全体を示す斜視図である。図中符号１はハンガーボードの本体であり、厚紙、木材、プラスチック、金属などからなる板状のものである。この本体１は吊り下げ孔２、２を利用して壁面に吊り下げるか、あるいは図示しない背面スタンドを利用して棚やカウンターに自立させることにより、板面が垂直面か僅かな傾斜面を構成する背板状となる。
【００１８】
図中符号３は商品を吊るすためのフック部材６を本体１から突設するためのフック部材取り付け部である。この実施例においては本体に穿設される横長の切り抜き穴をもってフック部材取り付け部３とするとともに、上記切り抜き穴に横方向に摺動自在に係止される係止座７にフック本体９を突設することによりフック部材６としている。図中符号８は前記係止座７の係止部分であり、係止座の後端を逆Ｕ字状に下方に折り返すことにより、フック部材取り付け部３を構成する切り抜き穴の上縁に係止される。
【００１９】
この実施例においては、前記のフック部材取り付け部３として本体１のほぼ横方向一杯に渡る長さのものを上下８段に配し、その上下の間隔を、吊るすことを想定する商品の高さより狭く設定したものを採用しているが、長さおよび段数はこれに限られないことは勿論である。
【００２０】
図中符号４はハンガーボードに商品や広告情報を記したＰＯＰ板５を着脱自在に配するための透明ホルダーであり、本体１との間の隙間からＰＯＰ板が挿入される（図１参照）。
【００２１】
なお、フック部材取り付け部はフック部材を横方向の任意位置に移動可能な機能を有するものであれば前記のものに限られないことは勿論で、例えば図４に示すように本体１１に取り付けられる断面Ｌ字状のレールをもってフック部材取り付け部１２とするとともに、上記レールに横方向に摺動自在に係止される係止座１７にフック本体１９を突設することによりフック部材１６としている。図中符号１８は前記係止座１７の係止部分であり、係止座の後端を逆Ｕ字状に下方に折り返すことにより、フック部材取り付け部１２を構成するレールの上縁に係止される。
【００２２】
以上の構成よりなるこの考案の商品陳列用ハンガーボードは、図３に示すように本体１から突設される各フック部材６に商品を吊り下げることにより使用に供される。ここでは吊り下げられる商品としてそれぞれ大きさの異なる商品Ｇ１〜Ｇ５を図示する。この図面から、商品の幅に応じて吊り下げに使用するフック部材６を左右に移動させたり、吊り下げられた商品と重なる位置のフック部材は左右に移動させて退避させていることわかる。
【符号の説明】
【００２３】
１      本体
３      フック部材取り付け部
６      フック部材
【図１】
0003157823.tif 000003
【図２】
0003157823.tif 000004
【図３】
0003157823.tif 000005
【図４】
0003157823.tif 000006
【図５】
0003157823.tif 000007
【図６】
0003157823.tif 000008
【図７】
0003157823.tif 000009